(57)【要約】【課題】ウェビング部の厚みを厚くすることなく、乗員に対する触感を向上する。【解決手段】シートベルト用ウェビング１０では、連結部１６は、本体部１４及び耳部１８に比して、経糸２０と緯糸２２との交錯を粗にした織組織で製織されている。このため、ウェビング部１２が、連結部１６の部位において、屈曲されやすくなる。これにより、ウェビング部１２の幅方向外側の側縁が乗員の首部等に接触した際には、ウェビング部１２が連結部１６の部位において首部等に対応して屈曲される。したがって、ウェビング部１２の乗員に対する違和感が抑制されると共に触感が向上される。また、ウェビング部１２を、ウェビング部１２の幅方向両端部を折り曲げてループ形状にする必要がない。したがって、ウェビング部１２の厚みが厚くなることが抑制される。以上により、ウェビング部１２の厚みを厚くすることなく、乗員に対する触感を向上できる。【選択図】図２
2013018432.tif 000002
【特許請求の範囲】
【請求項１】
長尺帯状に形成されると共に、長手方向に沿って配置された複数の経糸と前記長手方向と直交する幅方向に沿って配置された複数の緯糸とを交錯して製織されたウェビング部と、
前記ウェビング部の一部を構成し、前記ウェビング部における幅方向両端部を構成する一対の耳部の少なくとも一方と前記ウェビング部における幅方向中間部を構成する本体部との間に前記ウェビング部の前記長手方向に沿って形成されると共に、前記耳部及び前記本体部に比して前記経糸と前記緯糸との交錯を粗にした織組織で製織された粗織部と、
を備えたシートベルト用ウェビング。
【請求項２】
前記粗織部が一対の前記耳部と前記本体部との間に形成された請求項１に記載のシートベルト用ウェビング。
【請求項３】
前記粗織部は、複数の前記経糸を引き揃えて前記緯糸と交錯する織組織にされた請求項１又は請求項２に記載のシートベルト用ウェビング。
【請求項４】
前記粗織部における織組織は、２本の前記経糸を引き揃えて２／２綾織りとされた請求項３に記載のシートベルト用ウェビング。
【請求項５】
前記粗織部が、前記粗織部と隣接する前記耳部の側縁から４〜１２ｍｍの範囲内に配置された請求項１〜請求項４の何れか一項に記載のシートベルト用ウェビング。
【発明の詳細な説明】
【技術分野】
【０００１】
本発明は、経糸と緯糸との交錯を粗にした織組織で製織された粗織部を有するシートベルト用ウェビングに関する。
【背景技術】
【０００２】
下記の特許文献１に記載されたシートベルトのウェビングでは、帯紐の側縁部に折曲げ部が設けられており、折曲げ部は、帯紐の幅方向に折り曲げられて、ループ状に形成されている。これにより、ウェビングの側縁部が折り返されているため、ウェビングの乗員に対する触感を向上できる。
【先行技術文献】
【特許文献】
【０００３】
【特許文献１】特開平９−８６３４１号公報
【発明の概要】
【発明が解決しようとする課題】
【０００４】
しかしながら、上記特許文献１に記載されたシートベルトのウェビングによれば、上述のように、折曲げ部がループ状に形成されているため、ウェビングの厚みが厚くなる。これにより、ウェビングをガイドするためのスリップジョイントのガイド孔内に、ウェビングを挿通できない可能性がある。また、仮に、スリップジョイントのガイド孔内にウェビングが挿通されたとしても、スリップジョイントとウェビングとの摺動抵抗が大きくなる可能性がある。
【０００５】
本発明は、上記事実を考慮して、ウェビング部の厚みを厚くすることなく、乗員に対する触感を向上できるシートベルト用ウェビングを提供することを目的とする。
【課題を解決するための手段】
【０００６】
請求項１に記載のシートベルト用ウェビングは、長尺帯状に形成されると共に、長手方向に沿って配置された複数の経糸と前記長手方向と直交する幅方向に沿って配置された複数の緯糸とを交錯して製織されたウェビング部と、前記ウェビング部の一部を構成し、前記ウェビング部における幅方向両端部を構成する一対の耳部の少なくとも一方と前記ウェビング部における幅方向中間部を構成する本体部との間に前記ウェビング部の前記長手方向に沿って形成されると共に、前記耳部及び前記本体部に比して前記経糸と前記緯糸との交錯を粗にした織組織で製織された粗織部と、を備えている。
【０００７】
請求項１に記載のシートベルト用ウェビングでは、長尺帯状に形成されたウェビング部が、複数の経糸と複数の緯糸とを交錯して製織されている。この経糸はウェビング部の長手方向に沿って配置されており、緯糸はウェビング部の幅方向に沿って配置されている。
【０００８】
また、ウェビング部における幅方向両端部は一対の耳部で構成されており、ウェビング部における幅方向中間部は本体部で構成されている。さらに、ウェビング部の一部は粗織部で構成されており、粗織部は、耳部の少なくとも一方と本体部との間に、ウェビング部の長手方向に沿って形成されている。
【０００９】
ここで、粗織部は、ウェビング部における本体部及び耳部に比して、経糸と緯糸との交錯を粗にした織組織で製織されている。このため、ウェビング部が、粗織部の部位において、屈曲されやすく構成されている。これにより、例えば、ウェビング部の幅方向外側の側縁が乗員の首部等に接触しても、ウェビング部が、粗織部の部位において、当該首部等に対応して屈曲されるため、ウェビング部の乗員に対する違和感が抑制されると共に触感が向上される。また、ウェビング部を、粗織部の部位において、屈曲されやすい構成にすることで、ウェビング部の乗員に対する触感が向上されるため、ウェビング部の幅方向両端部を折り曲げてループ形状にする必要がない。したがって、ウェビング部の厚みが厚くなることが抑制される。
【００１０】
請求項２に記載のシートベルト用ウェビングは、請求項１に記載のシートベルト用ウェビングにおいて、前記粗織部が一対の前記耳部と前記本体部との間に形成されている。
【００１１】
請求項２に記載のシートベルト用ウェビングでは、一対の耳部と本体部との間に粗織部が形成されているため、粗織部が一対の耳部に隣接して一対配置される。このため、例えば、乗員がウェビング部を把持する際に、乗員の指でウェビング部の耳部が押圧されて、ウェビング部が、一対の粗織部の部位において、屈曲される。これにより、乗員の指がウェビング部の幅方向外側の側縁に接触することを抑制できる。
【００１２】
請求項３に記載のシートベルト用ウェビングは、請求項１又は請求項２に記載のシートベルト用ウェビングにおいて、前記粗織部は、複数の前記経糸を引き揃えて前記緯糸と交錯する織組織にされている。
【００１３】
請求項３に記載のシートベルト用ウェビングでは、粗織部において、複数の経糸が引き揃えられており、当該引き揃えられた経糸が緯糸と交錯している。このため、粗織部における経糸の本数を減少させることなく、耳部及び本体部に比して粗織部を屈曲させやすく構成できる。
【００１４】
請求項４に記載のシートベルト用ウェビングは、請求項３に記載のシートベルト用ウェビングにおいて、前記粗織部における織組織は、２本の前記経糸を引き揃えて２／２綾織りとされている。
【００１５】
請求項４に記載のシートベルト用ウェビングでは、粗織部において２本の経糸が引き揃えられており、粗織部における織組織が当該２本の引き揃えられた経糸と緯糸とで２／２綾織りとされている。このため、粗織部における耐磨耗性が確保される。
【００１６】
請求項５に記載のシートベルト用ウェビングは、請求項１〜請求項４の何れか一項に記載のシートベルト用ウェビングにおいて、前記粗織部が、前記粗織部と隣接する前記耳部の側縁から４〜１２ｍｍの範囲内に配置されている。
【００１７】
請求項５に記載のシートベルト用ウェビングでは、粗織部と隣接する耳部の側縁から４〜１２ｍｍの範囲内に粗織部が配置されているため、例えば、ウェビング部をガイドするスリップジョイントのガイド孔にウェビング部が挿通されて、このガイド孔の湾曲された端部にウェビング部が引き寄せられた場合でも、このガイド孔に対応して、ウェビング部を粗織部の部位において確実に屈曲させることができる。これにより、ウェビング部のスリップジョイントに対する摺動抵抗が低減される。
【発明の効果】
【００１８】
請求項１に記載のシートベルト用ウェビングによれば、ウェビング部の厚みを厚くすることなく、乗員に対する触感を向上できる。
【００１９】
請求項２に記載のシートベルト用ウェビングによれば、乗員に対する触感を一層向上できる。
【００２０】
請求項３に記載のシートベルト用ウェビングによれば、粗織部における強度を確保しつつ、粗織部を屈曲させやすく構成できる。
【００２１】
請求項４に記載のシートベルト用ウェビングによれば、粗織部における耐磨耗性を確保できる。
【００２２】
請求項５に記載のシートベルト用ウェビングによれば、ウェビング部のスリップジョイントに対する摺動抵抗を低減できる。
【図面の簡単な説明】
【００２３】
【図１】本発明の第１の実施の形態に係るシートベルト用ウェビングを示す正面図である。
【図２】図１に示されるシートベルト用ウェビングを構成するウェビング部の織組織を示す概略図である。
【図３】図２に示されるウェビング部がスリップジョイントのガイド孔内を挿通している状態を示す正面図である。
【図４】本発明の第２の実施の形態に係るシートベルト用ウェビングを示す正面図である。
【図５】図４に示されるシートベルト用ウェビングを構成するウェビング部の織組織を示す概略図である。
【発明を実施するための形態】
【００２４】
［第１の実施の形態］
【００２５】
本発明の第１の実施の形態に係るシートベルト用ウェビング１０は車両のシートベルト装置に適用されるものであり、本実施の形態では、シートベルト用ウェビング１０が所謂３点式のシートベルト装置に適用されている。
【００２６】
図１には、シートベルト用ウェビング１０が正面図にて示されている。なお、図に示される矢印Ｌはシートベルト用ウェビング１０の長手方向を示し、矢印Ｗはシートベルト用ウェビング１０の幅方向を示す。
【００２７】
この図に示すように、シートベルト用ウェビング１０は長尺帯状に形成されたウェビング部１２を備えている。このウェビング部１２の長手方向基端部は、図示しないウェビング巻取装置のスプールに係止されており、ウェビング部１２の長手方向先端部は、図示しない車両のアンカに係止されている。
【００２８】
図３に示すように、ウェビング巻取装置から引出されたウェビング部１２は、車両のセンタピラーに固定されたスリップジョイント３０に向けて延伸されている。スリップジョイント３０には、ガイド孔３２が貫通形成されており、ガイド孔３２は略Ｕ字形状に形成されて、ガイド孔３２の両端部が湾曲されている。ウェビング部１２はガイド孔３２内を挿通しており、ガイド孔３２において折り曲げられて、車両のアンカへ延伸されている。さらに、ウェビング部１２には、図示しないタングがウェビング部１２の長手方向に沿って移動可能に挿入されており、タングは車両に設けられたバックル装置（図示省略）に係脱可能に構成されている。これにより、タングがバックルに係合されることで、ウェビング巻取装置から引出されたウェビング部１２が着座乗員に装着可能に構成されている。
【００２９】
図１に示すように、ウェビング部１２は、本体部１４と、粗織部としての一対の連結部１６と、一対の耳部１８とで構成されている。本体部１４は、ウェビング部１２の幅方向中間部に配置されると共に、ウェビング部１２の長手方向に沿って形成されている。図２に示すように、本体部１４は、ウェビング部１２の長手方向に沿って配置された複数の経糸（縦糸）２０とウェビング部１２の幅方向に沿って配置された複数の緯糸（横糸）２２とを交錯させた織組織により製織されている。この経糸２０及び緯糸２２は、ポリエステル系の合成繊維糸により構成されている。また、本体部１４の織組織は、２／２綾織りとされており（経糸２０が、２本の緯糸２２の上側（図２の紙面上側）を交差すると共に、２本の緯糸２２の下側（図２の紙面下側）を交差している）、これにより、本体部１４における経糸２０と緯糸２２との交錯する部分は、経糸２０の配列方向（ウェビング部１２の幅方向）へ経糸２０の一本分進む度毎に、ウェビング部１２の長手方向に緯糸２２の一本分ずれて配置されている。
【００３０】
図１に示すように、一対の耳部１８は、ウェビング部１２の幅方向外側の両端部にそれぞれ配置されると共に、ウェビング部１２の長手方向に沿って形成されている。図２に示すように、耳部１８は、本体部１４と同じ経糸２０と緯糸２２とで織組織を２／２綾織りにして製織されている。このため、上述と同様に、耳部１８における各々の経糸２０と緯糸２２との交錯する部分が、経糸２０の配列方向へ経糸２０の一本分進むたび毎に、ウェビング部１２の長手方向に緯糸２２の一本分ずれて配置されている。
【００３１】
図１に示すように、連結部１６は、本体部１４と一対の耳部１８との間にそれぞれ設けられており、ウェビング部１２の長手方向に沿って形成されている（図１に示される斜線部の領域に配置されている）。図２に示すように、連結部１６は、本体部１４の経糸２０と同じ経糸２０と緯糸２２とを交錯させた織組織により製織されている。また、連結部１６における織組織では、２本の経糸２０を引き揃えて２／２綾織りとされている（２本の経糸２０が、２本の緯糸２２の上側を交差すると共に、２本の緯糸２２の下側を交差している）。このため、連結部１６における経糸２０と緯糸２２との交錯する部分が、経糸２０の配列方向に２本進む度毎に、ウェビング部１２の長手方向に緯糸２２の一本分ずれて配置されている。つまり、連結部１６における経糸２０と緯糸２２との交錯した部分が、本体部１４及び耳部１８における経糸２０と緯糸２２との交錯された部分に比して、大きく形成されている。これにより、本体部１４及び耳部１８に比して、連結部１６は、経糸２０と緯糸２２との交錯を粗にした織組織で製織されている。したがって、連結部１６が、本体部１４及び耳部１８に比して、屈曲されやすく構成されており、例えば、ウェビング部１２の耳部１８に押圧力などの外力が付与された際には、ウェビング部１２が、連結部１６の部位において、屈曲されるように構成されている。
【００３２】
また、連結部１６は、ウェビング部１２の幅方向の縁（連結部１６と隣接された耳部１８の縁）から４〜１２ｍｍの範囲内に設けられる。一方、上述したように、スリップジョイント３０のガイド孔３２の両端部は湾曲されており、ガイド孔３２の両端部では、ガイド孔３２の端から湾曲の始点までの寸法（図３に示されるＷ１の寸法）が、通常、６〜１０ｍｍの範囲内に設定されている。このため、ウェビング部１２がガイド孔３２の端部へ引き寄せられた際には、ウェビング部１２が連結部１６の部位で屈曲されるように構成されている。
【００３３】
次に、第１の実施の形態の作用及び効果を説明する。
【００３４】
シートベルト用ウェビング１０を乗員が装着する際には、乗員がウェビング部１２を把持する。この際には、乗員の手（指）によってウェビング部１２の耳部１８がウェビング部１２の幅方向内側へ押圧されるため、ウェビング部１２が連結部１６の部位において屈曲される。
【００３５】
この状態で、乗員がウェビング部１２をウェビング巻取装置から引出すように引っ張ると、ウェビング部１２が、スリップジョイント３０のガイド孔３２の内周部上を摺接しつつ、ウェビング巻取装置から引出される。そして、乗員がウェビング部１２を引っ張る際に、ウェビング部１２がガイド孔３２の端部側に引き寄せられた場合には、ウェビング部１２の耳部１８が、ガイド孔３２の端部の内周部に押圧されて、ウェビング部１２が連結部１６の部位において屈曲される。
【００３６】
さらに、乗員がウェビング部１２に設けられたタングをバックル装置に係合させることで、ウェビング部１２が乗員に装着される。この際には、ウェビング部１２が、乗員の胸部前方の位置において乗員の肩部から腰部へ向けて配置されると共に、乗員の腰部前方に配置される。これにより、ウェビング部１２によって、乗員の上胴体部及び腰部が拘束される。この状態で、乗員の上胴体部が移動する等して、ウェビング部１２の幅方向外側の側縁が乗員の首部等に接触した場合には、ウェビング部１２の耳部１８が乗員の首部等に押圧されて、ウェビング部１２が連結部１６の部位において屈曲される。
【００３７】
ここで、シートベルト用ウェビング１０では、ウェビング部１２の一部が連結部１６で構成されており、連結部１６は、ウェビング部１２を構成する耳部１８とウェビング部１２を構成する本体部１４との間にウェビング部１２の長手方向に沿って形成されている。また、連結部１６は、本体部１４及び耳部１８に比して、経糸２０と緯糸２２との交錯を粗にした織組織で製織されている。
【００３８】
このため、ウェビング部１２が、連結部１６の部位において、屈曲されやすくなる。これにより、上述したように、ウェビング部１２の幅方向外側の側縁が乗員の首部等に接触した際には、ウェビング部１２の耳部１８が押圧されるため、ウェビング部１２が連結部１６の部位において当該首部等に対応して屈曲される。したがって、ウェビング部１２の乗員に対する違和感が抑制されると共に触感が向上される。また、ウェビング部１２を、連結部１６の部位において、屈曲されやすい構成にすることで、ウェビング部１２の乗員に対する触感が向上されるため、ウェビング部１２の幅方向両端部を折り曲げてループ形状にする必要がない。したがって、ウェビング部１２の厚みが厚くなることが抑制される。以上により、ウェビング部１２の厚みを厚くすることなく、乗員に対する触感を向上できる。
【００３９】
また、シートベルト用ウェビング１０では、ウェビング部１２の一対の耳部１８に隣接した位置に連結部１６がそれぞれ設けられている。このため、乗員がウェビング部１２を把持する際に、乗員の手（指）によって一対の耳部１８が押圧されて、ウェビング部１２が、一対の連結部１６の部位において、屈曲される。これにより、ウェビング部１２の幅方向外側の側縁を乗員の指が接触することを抑制できるため、ウェビング部１２の乗員に対する触感を一層向上できる。
【００４０】
しかも、ウェビング部１２に一対の連結部１６が設けられているため、乗員がウェビング部１２を装着した際に、連結部１６と隣接される耳部１８が乗員の首部側に必ず配置される。一方、一対の連結部１６の何れか一方を省略した場合には、乗員がウェビング部１２を装着する際に、他方の連結部１６と隣接される耳部１８を乗員の首部側に配置させる必要があるため、運転席用及び助手席用のそれぞれのウェビング巻取装置を設定する必要がある。このため、この場合には、ウェビング巻取装置にシートベルト用ウェビング１０を組付ける際に、ウェビング部１２の表面及び裏面を考慮して組付ける必要があり、ウェビング巻取装置を車両に組付ける際に、運転席用及び助手席用を考慮して組付ける必要がある。これにより、一対の連結部１６の何れか一方を省略した場合に比して、シートベルト用ウェビング１０をウェビング巻取装置に組付ける際の組付け性を向上でき、ウェビング巻取装置を車両へ組付ける際の組付け性を向上できる。
【００４１】
さらに、シートベルト用ウェビング１０では、連結部１６において、２本の経糸２０が引き揃えられており、引き揃えられた経糸２０が緯糸２２と交錯して製織されている。これにより、連結部１６における経糸２０の本数を減少させることなく、連結部１６を形成できるため、連結部１６の強度を確保しつつ、耳部１８及び本体部１４に比して連結部１６を屈曲させやすく構成できる。
【００４２】
また、シートベルト用ウェビング１０では、連結部１６において２本の経糸２０が引き揃えられており、連結部１６における織組織が当該２本の引き揃えられた経糸２０と緯糸２２とで２／２綾織りとされている。このため、本体部１４及び耳部１８に比して連結部１６を屈曲させやすく構成しても、連結部１６における耐磨耗性を確保できる。
【００４３】
さらに、シートベルト用ウェビング１０では、一対の連結部１６が一対の耳部１８と隣接して配置されており、ウェビング部１２が、乗員によって引っ張られて、スリップジョイント３０のガイド孔３２の湾曲された端部に引き寄せられた場合には、ウェビング部１２の耳部１８がガイド孔３２の内周部に押圧されて、ウェビング部１２が連結部１６の部位において屈曲される。このため、ウェビング部１２がガイド孔３２の端部形状に対応して屈曲されるため、ウェビング部１２のスリップジョイント３０に対する摺動抵抗を低減できる。しかも、連結部１６が、連結部１６と隣接する耳部１８の縁から４〜１２ｍｍの範囲内に配置されているため、ガイド孔３２の端部に対応させて、ウェビング部１２を連結部１６の部位において確実に屈曲できる。
【００４４】
［第２の実施の形態］
【００４５】
図４には、第２の実施の形態に係るシートベルト用ウェビング１００が正面図にて示されている。なお、図面では、シートベルト用ウェビング１００の長手方向を矢印Ｌで示し、シートベルト用ウェビング１００の幅方向を矢印Ｗで示す。また、第２の実施の形態では、第１の実施の形態と略同様の構成であるが、以下の点において異なる。
【００４６】
この図に示すように、ウェビング部１２の幅方向外側の側縁部には、耳部１８を構成する一対の縁部１０２が形成されている（図４の斜線部を参照）。
【００４７】
図５に示すように、縁部１０２は、ウェビング部１２の長手方向に沿って配置された複数の経糸１０４とウェビング部１２の幅方向に沿って配置された複数の緯糸２２とを交錯させた織組織により製織されており、縁部１０２の織組織は、２／２綾織りとされている。このため、縁部１０２における経糸２０と緯糸２２との交錯する部分は、経糸２０の配列方向に一本進むたび毎に、ウェビング部１２の長手方向に緯糸２２の一本分ずれて配置されている。
【００４８】
また、経糸１０４の繊度（太さ）は、経糸２０の繊度に比して小さく（細く）されており、これにより、本体部１４及び耳部１８に比して、縁部１０２は、触感が柔らかく、折り曲げやすく構成されている。なお、連結部１６は、に縁部１０２比して、折り曲げやすく構成されている。
【００４９】
これにより、ウェビング部１２の縁部１０２に押圧力等の外力が付与された際には、ウェビング部１２が連結部１６の部位において屈曲される。したがって、第２の実施の形態においても第１の実施の形態と同様の作用及び効果を奏する。
【００５０】
さらに、第２の実施の形態では、縁部１０２の経糸１０４の繊度が耳部１８の経糸２０の繊度に比して小さく設定されているため、縁部１０２が、耳部１８に比して、触感が柔らかく、折り曲げやすく構成されている。これにより、乗員の首部等にウェビング部１２の縁部１０２が接触する際には、ウェビング部１２の乗員に対する違和感が一層抑制されて、乗員に対する触感を一層向上できる。
【００５１】
なお、第１の実施の形態及び第２の実施の形態では、一対の耳部１８と隣接した位置に、連結部１６がそれぞれ設けられている。これに替えて、一方の耳部１８と本体部１４との間、又は他方の耳部１８と本体部１４との間に連結部１６が設けられてもよい。この場合には、ウェビング部１２が乗員に装着される際に、連結部１６と隣接される耳部１８が、乗員の首部側に配置されるように構成される。
【００５２】
また、第１の実施の形態及び第２の実施の形態では、連結部１６における織組織は、２本の経糸２０を引き揃えた２／２綾織とされているが、引き揃える経糸２０の本数は任意に設定できる。例えば、連結部１６における織組織が、３本以上の経糸２０を引き揃えた２／２綾織りとされてもよい。
【００５３】
さらに、第１の実施の形態及び第２の実施の形態では、シートベルト用ウェビング１０、１００が３点式のシートベルト装置に適用されているが、シートベルト用ウェビング１０、１００を２点式のシートベルト装置に適用してもよい。つまり、シートベルト用ウェビング１０、１００を車両に搭載されるシートベルト装置に適用できる。
【符号の説明】
【００５４】
１０        シートベルト用ウェビング
１２        ウェビング部
１４        本体部
１６        連結部１６（粗織部）
１８        耳部
２０        経糸
２２        緯糸
１００      シートベルト用ウェビング
１０４      経糸
【図１】
2013018432.tif 000003
【図２】
2013018432.tif 000004
【図３】
2013018432.tif 000005
【図４】
2013018432.tif 000006
【図５】
2013018432.tif 000007